(57)【要約】【課題】  床化粧材が受ける風の影響を最小限に抑えて床化粧材が捲れ上がるのを防ぎ、安全性および意匠性の高い優れた床化粧材を提供する。【解決手段】  床化粧材１には、側面を覆う風除板１３が設けられている。この風除板１３は、上縁部が床化粧材本体１１の一側面に接着固定され、回動自在となされている。そして、床面３に複数枚の床化粧材１を敷きつめて床２を構成するにあたっては、風除板１３を備えた床化粧材本体１１を、床２の外周縁部に配置することにより、風除板１３が床化粧材１の下面側への風の流入を遮り、捲れ上がりを防止する。【選択図】  図１
2008285894.tif 000002
【特許請求の範囲】
【請求項１】
床面に複数枚の床化粧材本体を敷きつめて床を構成する床化粧材において、前記床化粧材本体には、当該床化粧材本体の側面を覆う風除板が設けられて、この風除板がその上縁部を回動中心として回動自在とされていることを特徴とする床化粧材。
【請求項２】
前記床化粧材本体の一側面の左右両端部に、当該床化粧材本体とは別体で形成された支持部材がそれぞれ添設されており、前記風除板は各支持部材に支持されて、これらの支持部材間において回動自在であることを特徴とする請求項１に記載の床化粧材。
【請求項３】
前記床化粧材本体の一側面の上部寄りに、前記風除板の上縁部が接着固定されるとともに、この接着固定部の下部において風除板が折曲げ可能に形成されていることにより回動自在となされていることを特徴とする請求項１に記載の床化粧材。
【請求項４】
前記床化粧材本体の裏面には複数本の脚部が設けられるとともに、前記風除板は化粧床材本体の側面における少なくとも前記脚部の上端位置から下端位置までの高さ範囲を覆う大きさで形成されていることを特徴とする請求項１〜３のいずれかに記載の床化粧材。
【請求項５】
床面に複数枚の床化粧材本体を敷きつめて床を構成する床化粧材の敷設構造であって、床化粧材本体には、当該床化粧材本体の側面を覆う風除板が設けられ、この風除板がその上縁部を回動中心として回動自在とされており、この風除板を備えた床化粧材本体は、少なくとも、構成される床の外周縁部に配置されて風除板が前記床の外周縁を覆うように構成されたことを特徴とする床化粧材の敷設構造。
【発明の詳細な説明】
【技術分野】
【０００１】
本発明は、ベランダやバルコニー、屋上等の床面に敷設して使用する床化粧材およびその敷設構造に関する。
【背景技術】
【０００２】
ベランダやバルコニー、屋上等に床材を敷設してデッキを形成する技術には、従来、係止溝を備えた固定基板を根太上に複数個ねじ止めするとともに、バルコニー等の寸法に合わせて切断した長尺のデッキ材の裏面側の突条を固定基板の係止溝に圧入嵌合するなどの構造が提案されていた。
【０００３】
これに対し、近年では、例えば特許文献１に記載されているように、コンクリート等のスラブ上に床材を敷設して床面を覆う構成の床化粧材として、硬質合成樹脂材料を矩形状に成形した部材で、裏面側とスラブ面との間に排水空間を形成するための複数本の脚が一体形成されてなる床化粧材が提案されており、上面に樹脂またはタイル等の表面材を接着固定または一体成形した構造のユニット式床化粧材も実用化されている。
【０００４】
このようなユニット式床化粧材は、バルコニーやベランダ等の屋外に敷設した場合、床化粧材の下面側（裏面側）に風が吹き込むと、敷設した床化粧材の全体が捲れ上がってしまうことがあった。そこで、このような捲れ上がりを解消するために、例えば特許文献２に記載されているように、タイルユニットを敷設して床面を形成する際に、その床面周囲の少なくとも一部に透水性開口を有する樹脂製フロアマットを敷設して風の影響を軽減するという、タイルユニットの敷設構造も提案されている。
【特許文献１】実開平５−８５９２９号公報
【特許文献２】特開平７−１０１９１号公報
【発明の開示】
【発明が解決しようとする課題】
【０００５】
前記従来の床化粧材の敷設構造は、立ち上がり壁で囲まれたバルコニー等の床面に、表面材がタイル等の比較的重い床化粧材を敷設する場合にはある程度有効な手法となる。しかし、立ち上がり壁ではなく、手すりだけが設けられたバルコニーに、このような床化粧材を敷設した場合には、手すりを通り抜けた風が床化粧材の下面側に入り込んで床化粧材の全体が捲れ上がる、吹き上がり現象を起こしてしまうおそれがあった。また、このような問題は、高さがそれほどないパラペットが配設された屋上などに床化粧材を敷設する場合にも発生する可能性があった。
【０００６】
また、かかる床化粧材の敷設作業にあたっては、専門の施工業者が作業をする場合もあるが、住宅等の小規模の建物においては専門の施工業者ではなく個人で敷設作業をする場合も考えられるため、その施工性のよさや、メンテナンスや掃除の際の床化粧材の取り外し作業のしやすさ等も配慮する必要があった。
【０００７】
そこで本発明は、上記のような問題点にかんがみてなされたものであり、バルコニーやベランダ等の床面をユニット式の床化粧材を敷設して形成するにあたり、その床化粧材が受ける風の影響を最小限に抑えて床化粧材が捲れ上がるのを防ぎ、安全性および意匠性の高い優れた床化粧材およびその敷設構造を提供することを目的としている。
【課題を解決するための手段】
【０００８】
前記の課題を達成するため、本発明は、床面に複数枚の床化粧材本体を敷きつめて床を構成する床化粧材において、前記床化粧材本体には、当該床化粧材本体の側面を覆う風除板が設けられて、この風除板がその上縁部を回動中心として回動自在とされていることを特徴とする。
【０００９】
かかる特徴的構成を有する床化粧材によって、風除板が床化粧材本体の下面側へ風が吹き込むのを遮るので、捲れ上がったり浮き上がったりするのを防止でき、床化粧材が受ける風の影響を最小限に抑えることが可能になる。
【００１０】
また、本発明は、前記床化粧材本体の一側面の左右両端部に、当該床化粧材本体とは別体で形成された支持部材がそれぞれ添設されており、前記風除板は各支持部材に支持されて、これらの支持部材間において回動自在であることを特徴とする。
【００１１】
あるいは、前記床化粧材本体の一側面の上部寄りに、前記風除板の上縁部が接着固定されるとともに、この接着固定部の下部において風除板が折曲げ可能に形成されていることにより回動自在となされていてもよい。
【００１２】
かかる風除板を備えることにより、風除板の内面に風が作用すると風除板が外方へ回動して風を逃がす一方、風除板の外面に風が作用すると風除板が脚部の側面に支持されて床化粧材本体の側面に密着して塞ぎ、床化粧材本体の下面側へ風が入り込むのを防ぐように構成されている。
【００１３】
さらに、前記床化粧材本体の裏面には複数本の脚部が設けられるとともに、前記風除板は化粧床材本体の側面における少なくとも前記脚部の上端位置から下端位置までの高さ範囲を覆う大きさで形成されていることが好ましい。
【００１４】
かかる特徴的構成を有する床化粧材によって、良好な施工性のもと、床化粧材を敷設した床面を安定的に保持して、風による吹き上がり現象を抑えることが可能になる。
【００１５】
また、本発明は、床面に複数枚の床化粧材本体を敷きつめて床を構成する床化粧材の敷設構造であって、床化粧材本体には、当該床化粧材本体の側面を覆う風除板が設けられ、この風除板がその上縁部を回動中心として回動自在とされており、この風除板を備えた床化粧材本体は、少なくとも、構成される床の外周縁部に配置されて風除板が前記床の外周縁を覆うように構成されたことを特徴とする。
【００１６】
これにより、隣接して敷設された床化粧材同士の側面に風除板が連続して床の外周縁部を覆い、風が吹き付けても側面が塞がれているので、下面側に風が吹き込むことがなくなり、床化粧材の捲れ上がりを防止する。また、床化粧材同士の連結部の隙間などから風が床化粧材の下面側に僅かに入り込むことがあっても、風除板が外方へ開いて入り込んだ風を逃がすので、床化粧材が捲れ上がったり浮き上がったりするのを防止する。したがって、長期間にわたって安定した床化粧材の敷設構造を維持することができ、風による影響を効果的に防止することが可能となる。
【発明の効果】
【００１７】
上述のように構成される本発明の床化粧材およびその敷設構造によれば、床化粧材を敷設することによって形成した床における風の影響を最小限に抑えて、床化粧材が捲れ上がったり浮き上がったりするのを防ぎ、床化粧材を安定的に保持しつつ、安全性および意匠性に優れたものに形成することができる。
【発明を実施するための最良の形態】
【００１８】
以下、本発明に係る床化粧材およびその敷設構造を実施するための最良の形態について説明する。
【００１９】
本発明において、床化粧材１は住宅のベランダやバルコニー、テラスなどの屋外に設けられている床面３や屋上スラブなどに、複数枚を敷設して床２を構成するものである。この床化粧材１には、風の影響による吹き上がり現象を防止するために、風除板１３が設けられている。かかる構成の床化粧材１、および風除板１３の形態には多数のバリエーションがあるが、そのうちのいくつかについて以下の実施例で示す。
【実施例１】
【００２０】
本発明に係る床化粧材の実施例１について図面を参照しつつ説明する。図１は本発明の床化粧材の実施例１を示す斜視図であり、図２は図１の部分拡大図である。
【００２１】
床化粧材１の床化粧材本体１１は、例えば合成樹脂製の３０ｃｍ角の基材１１ｂの上面に表面化粧材１１ａを一体にした部材で形成されている。表面化粧材１１ａについては、図示しないが、例えば、合成樹脂材による約１０ｃｍ角の連続模様で基材１１ｂと一体に成形されたり、前記基材１１ｂの上面に木質化粧材、レンガ、磁器タイル等の表面材を接着したりして形成されるなど、床化粧材１の表面意匠としてどのような形態であってもよい。また、この床化粧材本体１１の裏面側には、複数本の脚部１２が均等配置されて、基材１１ｂに対して一体的に備えられている。床化粧材本体１１には、その一側面を覆うように風除板１３が設けられている。
【００２２】
図示するように、風除板１３は、床化粧材本体１１の側面において、少なくとも脚部１２の上端位置（基材１１ｂの側部）から下端位置までの高さ範囲を覆う大きさで、側面下半部のほぼ全体を覆うことの可能な板状体で形成されている。この風除板１３には、軽量の板状体であって耐候性および遮蔽性を有する材質であれば、合成樹脂材や木質材、またはステンレス材あるいはアルミニウム材等の金属材など、どのような材質であってもよい。
【００２３】
また、このような風除板１３は、上縁部を回動中心となるように床化粧材本体１１の一側面に回動自在に配設されている。例示の形態では、床化粧材本体１１（基材１１ｂ）の一側面に、風除板１３の上縁部が接着固定されており、この接着固定部分の下部において風除板１３が外方へ折曲げ可能に形成されている。例えば、合成樹脂製板材で風除板１３が形成されている場合、溝や切り込み等による折曲部１３１が風除板１３に形成されることによって、風除板１３が折曲げ可能となっている。風除板１３を接着する手段としては、ブチルテープ等の接着テープや接着剤を用いることができるが、耐候性を有するものであることが好ましい。
【００２４】
これにより、風除板１３は、軽い力であっても外方向に外力が作用すると、折曲部を中心にして外方へ回動して作用した外力を逃がす一方、内方向に外力が作用したときには、脚部の側面に支持されて床化粧材本体１１の側面に密着して閉じた状態に保たれるように構成されている。
【００２５】
このような風除板１３は、床化粧材本体１１の側面のうち、いずれか一面または隣り合う二面に配設されており、床面３に敷きつめたときの配置場所によって、風除板１３を一枚備えた床化粧材１と、二枚備えた床化粧材１とを適宜選択して配置すればよい。
【００２６】
すなわち、かかる床化粧材１の敷設構造は、図３に例示するような形態であることが好ましく、床面３に複数枚の床化粧材１を敷きつめて床２が構成される。床化粧材１は、図示しない雌雄連結部等で複数枚が互いに連結される。ここで、風除板１３を一面または二面に備えた床化粧材１は、少なくとも、構成される床２の外周縁部に配置される。これにより、隣接する床化粧材１同士で風除板１３が側面に連続することになり、その結果、風除板１３は、床２全体に対してその外周縁を覆うものとなる。床２の内側に配置する床化粧材１には風除板１３が備えられてなくともよい。
【００２７】
このような敷設構造により、風除板１３で外周縁が覆われた床２（床化粧材１）は、風が吹き付けてもその側面が塞がれているので、床化粧材１の下面側に風が吹き込むことがなくなり、床化粧材１の捲れ上がりを防止することができる。また、床化粧材１同士の連結部の隙間などから風が下面側に僅かに入り込むことがあっても、風除板１３が外方へ開いて入り込んだ風を逃がすので、床化粧材１が捲れ上がったり浮き上がったりするのを防止することができる。これにより、床化粧材１を長期間にわたって安定した敷設状態で維持することができ、風の影響により捲れ上がったり吹き上がったりするのを効果的に防止することが可能となって、安全性および意匠性に優れた床２を構成することができる。
【００２８】
また、かかる床化粧材１は施工性も良好である。すなわち、床化粧材１にあらかじめ風除板１３が備えられており、構成する床２の形状や大きさに合わせて、風除板１３を備えた床化粧材１を床２の外周縁部に配設し、その内側には風除板１３のない床化粧材を配設すればすむので、敷設作業も容易に行うことができる。
【実施例２】
【００２９】
次に、本発明に係る床化粧材の実施例２について図面を参照しつつ説明する。図４は本発明の実施例２に係る床化粧材を示す斜視図、図５は図４の床化粧材の部分拡大図、図６および図７は実施例２の変形例を示す斜視図である。
【００３０】
なお、以下に説明する実施例２の形態に係る床化粧材１は、床化粧材本体１１の構成が前記実施例１とほぼ同様であり、風除板１３に特徴を有するものであるので、この風除板の構成について詳細に説明し、他の部分については上記実施例１と共通の符号を用いて説明を省略する。
【００３１】
この形態においては、床化粧材本体１１の一側面に、床化粧材本体１１とは別体で形成された支持部材１４が添設されており、風除板１３は支持部材１４の上端部に支持されている。
【００３２】
図４に例示する床化粧材１の場合、支持部材１４は、床化粧材本体１１の側面の両端部に沿う立設部１４１、１４１と、床面３に沿って載置される載置部１４２、１４２とがそれぞれ略Ｌ字状に結合されており、載置部１４２、１４２間には接続部１４３が架設されて床面３に安定して載置できるように一体的に形成されている。
【００３３】
この支持部材１４の立設部１４１、１４１の上端部には、図示しない軸孔が形成されている。また、風除板１３は上辺部の両端に図示しない軸部が突設されており、立設部１４１、１４１の前記軸孔にそれぞれ嵌挿され、立設部１４１間において回動自在に支持されている。
【００３４】
かかる風除板１３は、床化粧材本体１１の側面において、少なくとも脚部１２の上端位置（基部１１ｂ）から下端位置までの高さ範囲を覆う大きさで、側面下半部のほぼ全体を覆うことの可能な板状体で形成されており、軽量で耐候性および遮蔽性を有する合成樹脂材等の適宜の材質により形成されている。
【００３５】
これにより、床面３に複数枚の床化粧材１を敷設して床２を構成し、外周縁部に風除板１３を有する床化粧材１を配置することで、床２の外周縁部を風除板１３で連続的に塞いだ敷設構造をとることができ、床化粧材１の下面側に風が吹き込むことがなくなり、床化粧材１の捲れ上がりを防止できる。また、風が床化粧材１の下面側に入り込むことがあっても、風除板１３が外方へ開いて入り込んだ風を逃がすので、床化粧材１が捲れ上がったり浮き上がったりするのを防止できる。
【００３６】
この場合、風除板１３を回動自在に支持した支持部材１４は、床化粧材本体１１の側面および脚部１２にあらかじめ固定されて一体となったものであっても、また施工現場にて床化粧材本体１１の側面に接着剤等を用いて適宜固定されてもよい。また、床化粧材本体１１と支持部材１４が嵌合可能な構造であってもよい。風除板１３を備えた支持部材１４を施工現場にて必要箇所に固定する場合は、構成する床２の外周縁部と内側とで共通の床化粧材本体１１を用いることが可能になり好ましい。
【００３７】
また、床化粧材１は、図６に示すように、床化粧材本体１１（基部１１ｂ）の側面両端において、脚部１２の上方となる高さ位置に、支持部材として軸孔部１５がそれぞれ備えられて、軸孔部１５に風除板１３の軸部１３２を嵌挿することにより、風除板１３が回動自在に支持された構成であってもよい。さらに、図７に示すように、風除板１３に軸部を設けない場合には、蝶番１６を用いて床化粧材本体１１の側面に直接、風除板１３を回動自在に配設する構成であってもよい。
【００３８】
これらのいずれの形態においても、床化粧材１の風除板１３は、下面側に風が吹き込むのを遮り、風が入り込んだ場合には外方へ回動して風を逃がすので、床化粧材１の捲れ上がりや浮き上がりを防止することができ、長期間にわたって安定した敷設構造を維持することができる。
【産業上の利用可能性】
【００３９】
本発明は、住宅等の建物におけるバルコニーやベランダ等の風の影響を受けやすい床面に敷設して好適に使用することができる。
【図面の簡単な説明】
【００４０】
【図１】本発明に係る床化粧材の実施例１を示す斜視図である。
【図２】図１の床化粧材の部分拡大図である。
【図３】本発明に係る床化粧材の敷設構造の一例を示す平面図である。
【図４】本発明に係る床化粧材の実施例２を示す斜視図である。
【図５】図４の床化粧材の部分拡大図である。
【図６】実施例２の床化粧材の変形例を示す斜視図である。
【図７】実施例２の床化粧材の変形例を示す斜視図である。
【符号の説明】
【００４１】
１      床化粧材
１１    床化粧材本体
１２    脚部
１３    風除板
１３１  折曲部
１３２  軸部
１４    支持部材
１４１  立設部
１４２  載置部
１４３  接続部
１５    軸孔部
１６    蝶番
２      床
３      床面
【図１】
2008285894.tif 000003
【図２】
2008285894.tif 000004
【図３】
2008285894.tif 000005
【図４】
2008285894.tif 000006
【図５】
2008285894.tif 000007
【図６】
2008285894.tif 000008
【図７】
2008285894.tif 000009